(57)【要約】【課題】扉の施錠を解除するときに専用の鍵を必要とせず、荷物を安全に保管することができる宅配ボックスを提供する。【解決手段】宅配ボックス１０は、配達された荷物を収容する収容部１１と、収容部１１を形成する直方体形状のケーシング１１ｂの開口部１１ａを開閉する扉１２と、を備えている。扉１２の正面部分には、収容部１１内の荷物の有無を表示する緑色ＬＥＤランプ１と、電池の容量低下を表示する赤色ＬＥＤランプ２と、扉１２を解錠可能化すＩＣカード３を読み取らせるための読取部４と、受取人が扉１２を解錠するための受取ボタン５と、配達人が荷受確認用の伝票７に捺印するための捺印ボタン６と、伝票７の挿入口８及び扉開閉用の取っ手９などが設けられている。【選択図】図１
2019058507.tif 000002
【特許請求の範囲】
【請求項１】
配達された荷物を収容する収容部と、前記収容部の開口部を開閉する扉と、前記扉をロックする施錠装置と、を備え、
前記扉を施錠する操作部と、ＩＣカードの読取部と、前記読取部で読取可能なＩＣカードを事前登録する登録手段と、前記登録手段に事前登録されたＩＣカードを前記読取部に接近させると前記扉の施錠を解除可能とする解錠手段と、を設けた宅配ボックス。
【請求項２】
荷受確認用の伝票の挿入口と、前記挿入口に挿入された前記伝票に捺印する捺印装置とを設けた請求項１記載の宅配ボックス。
【請求項３】
前記登録手段に事前登録されたＩＣカードの変更、登録削除並びにＩＣカードの追加登録が可能である請求項１または２記載の宅配ボックス。
【請求項４】
前記登録手段に事前登録されたＩＣカードの変更、登録削除並びにＩＣカードの追加登録を可能化するための認証手段を設けた請求項３記載の宅配ボックス。
【請求項５】
前記収容部に荷物が収容されていることを表示する表示手段を設けた請求項１〜４の何れかに記載の宅配ボックス。
【発明の詳細な説明】
【技術分野】
【０００１】
本発明は、受取人が不在であっても宅配物を受け取って保管することができる宅配ボックスに関する。
【背景技術】
【０００２】
受取人が不在であっても宅配物を受け取って保管することができる宅配ボックスについては、従来、様々な構造、機能を有するものが提案されているが、本発明に関連するものとして、特許文献１，２に記載された「宅配ボックス」がある。
【０００３】
特許文献１，２に記載された「宅配ボックス」は、配達先の受取人が不在などのとき、配達人が当該「宅配ボックス」の荷受室の扉を開いて、荷物を荷受室内に入れ、扉を閉じた後、所定の操作を行うと、扉が施錠され、荷物を安全に保管することができるようになっている。
【０００４】
「宅配ボックス」に保管されている荷物を受取人が取り出すときは、扉の正面に設けられた鍵挿入口に鍵を挿入して回転させると、解錠され、扉は開放可能となる。
【先行技術文献】
【特許文献】
【０００５】
【特許文献１】特開２００９−５７５６号公報
【発明の概要】
【発明が解決しようとする課題】
【０００６】
特許文献１に記載された宅配ボックスは、施錠された扉を開くときに専用の鍵が必要であるため、受取人は鍵を保管したり、携帯したりしておかなければならない。また、宅配ボックスを開く必要性のある受取人が複数存在する場合、各人が分かる場所に鍵を保管したり、各人が専用の鍵を持ったりする必要がある。
【０００７】
さらに、専用の鍵を落としたり、紛失したりしたときに、宅配ボックスに保管された荷物の盗難を回避するためには、施錠機構全体を取り換える必要がある。
【０００８】
そこで、本発明が解決しようとする課題は、扉の施錠を解除するときに専用の鍵を必要とせず、荷物を安全に保管することができる宅配ボックスを提供することにある。
【課題を解決するための手段】
【０００９】
本発明の宅配ボックスは、
配達された荷物を収容する収容部と、前記収容部の開口部を開閉する扉と、前記扉をロックする施錠装置と、を備え、
前記扉を施錠する操作部と、ＩＣカードの読取部と、前記読取部で読取可能なＩＣカードを事前登録する登録手段と、前記登録手段に事前登録されたＩＣカードを前記読取部に接近させると前記扉の施錠を解除する解錠手段と、を設けたことを特徴とする。
【００１０】
ここで、前記ＩＣカードとは「非接触型のＴｙｐｅＡカード」及び「ＦｅｌｉＣａ（登録商標）」をいうものとする。
【００１１】
前記宅配ボックスにおいては、荷受確認用の伝票の挿入口と、前記挿入口に挿入された前記伝票に捺印する捺印装置と、を設けることもできる。
【００１２】
前記宅配ボックスにおいては、前記登録手段に事前登録されたＩＣカードの変更、削除並びにＩＣカードの追加登録が可能であることが望ましい。
【００１３】
前記宅配ボックスにおいては、前記登録手段に事前登録されたＩＣカードの変更、削除並びに追加登録を可能化するための認証手段を有することが望ましい。
【００１４】
前記宅配ボックスは、前記収容部に荷物が収容されていることを表示する表示手段を有することが望ましい。
【発明の効果】
【００１５】
本発明により、扉の施錠を解除するときに専用の鍵を必要とせず、荷物を安全に保管することができる宅配ボックスを提供することができる。
【図面の簡単な説明】
【００１６】
【図１】本発明の実施形態である宅配ボックスを示す一部省略斜視図である。
【図２】図１に示す宅配ボックスの扉開放状態の一部省略斜視図である。
【図３】図１に示す宅配ボックスの機能を示す一部省略ブロック図である。
【発明を実施するための形態】
【００１７】
以下、図１〜図３に基づいて、本発明の実施形態である宅配ボックス１０について説明する。
【００１８】
図１，図２に示すように、宅配ボックス１０は、配達された荷物を収容する収容部１１と、収容部１１を形成する直方体形状のケーシング１１ｂの開口部１１ａを開閉する扉１２と、を備えている。扉１２の正面部分には、緑色ＬＥＤランプ１、赤色ＬＥＤランプ２、ＩＣカード３の読取部４、受取ボタン５、捺印ボタン６、荷受確認用の伝票７の挿入口８及び扉開閉用の取っ手９などが設けられている。なお、緑色ＬＥＤランプ１、赤色ＬＥＤランプ２の発光色や発光手段はそれぞれ一例であり、これらに限定するものではないので、その他の発光色や発光手段を採用することもできる。
【００１９】
扉１２の正面部分にある緑色ＬＥＤランプ１は、センサ１４，１４からの検知信号に基づいて収容部１１内の荷物Ａの有無を表示するものであり、荷物Ａが収容されていないときは消灯しているが、荷物Ａが収容されているときは点灯する。赤色ＬＥＤランプ２は、平常時は消灯しているが、後述する電池１８の残容量が規定値以下になると点滅を開始して、それを知らせる機能を有する。
【００２０】
図２に示すように、収容部１１の底部１１ｃの左右部分には、収容部１１内の荷物Ａの有無を感知するセンサ１４，１４が配置されている。扉１２の背面部分（収容部１１側の部分）には、挿入口８に挿入された伝票に捺印可能な捺印装置１５、扉１２の開閉状態を感知するセンサ１６、施錠装置１３及び後述する制御回路１７などを包含する制御部２０などが配置されている。
【００２１】
また、宅配ボックス１０における施錠・解錠機能及びＩＣカード３の登録機能や読取機能などを作動させるための電池１８がケーシング１１ｂの外部に配置されている。施錠装置１３は、収容部１１の開口部１１ａの周縁１１ｄの一部に向かって進退することによって扉１２の施錠・解錠を行う突片部１３ａを有している。
【００２２】
なお、宅配ボックス１０においては、扉１２が閉止された状態において電池残容量が規定値低下になったときに扉１２を開くことなく電池交換が可能な場所として、ケーシング１１ｂの外部に電池１８を配置しているが、これに限定するものではないので、例えば、ケーシング１１ｂの外部から電池を出し入れ可能な電池収納部をケーシング１１ｂ内の一部に設け、そこに電池１８を配置することもできる。
【００２３】
図１〜図３に基づいて、宅配ボックス１０の使い方や機能などについて説明する。初めに、宅配ボックス１０の扉１２を解錠する際に使用するＩＣカード３の事前登録方法について説明する。なお、宅配ボックス１０において使用可能なＩＣカードは「非接触型のＴｙｐｅＡカード」あるいは「ＦｅｌｉＣａ（登録商標）」である。
【００２４】
（１）扉１２の正面部分の受取ボタン５を所定時間（例えば、５秒間）長押しすると、制御回路１７が登録モードとなり、それを知らせるため、緑色ＬＥＤランプ１が高速点滅を開始する。
【００２５】
（２）宅配ボックス１０について予め用意されたマスターカード（図示せず）を読取部４に接近させて読み取らせた後、登録対象であるＩＣカード３を読取部４に接近させると、緑色ＬＥＤランプ１または赤色ＬＥＤランプ２が点灯する。緑色ＬＥＤランプ１が点灯したときは登録完了であり、登録不成立であるときは赤色ＬＥＤランプ２が点灯する。登録不成立のときは、前述の操作を最初から反復するか、登録可能なＩＣカードに変更する必要がある。
【００２６】
（３）複数のＩＣカード３を登録するときは、前述した（１）〜（２）の操作を反復する。宅配ボックス１０において、事前登録可能なＩＣカード３の枚数は５０枚であるが、これに限定するものではない。
【００２７】
（４）事前登録したＩＣカード３の登録情報を削除するときは、宅配ボックス１０について予め用意されたマスターカード（図示せず）を読取部４に接近させて読み取らせた後、図３に示す制御回路１７に設けられているリセットボタン２２を専用工具（図示せず）で押圧する。これにより、制御回路１７に事前登録されている全てのＩＣカード３の情報が削除される。なお、リセットボタン２２は、扉１２が閉止されているときに外部から視認できない部分に設けられ、扉１２を開いて専用工具で押圧しない限り、操作不能であるため、悪戯などによるＩＣカード情報の削除を防止することができる。
【００２８】
（５）前記（４）の操作を行うと、全てのＩＣカード３の情報が削除されるので、この後、宅配ボックス１０を機能させるためには、前記（１），（２）の登録操作を行ってＩＣカード３の登録を行う必要がある。
【００２９】
次に、図１〜図３に基づいて宅配ボックス１０の使い方や機能などについて説明する。
【００３０】
（１）宅配ボックス１０の収容部１１が空であるとき、扉１２の正面部分の緑色ＬＥＤランプ１は消灯しており、扉１２は解錠状態にあるので、任意に開閉可能である（待機状態）。なお、扉１２は、収容部１１の開口部１１ａの周縁１１ｄに配置されたマグネット２１の吸着力により閉止状態に保持されているので、風の力などによって容易に開くことはない。
【００３１】
（２）配達に訪れた配達人が、取っ手９を手で掴んで扉１２を開き、荷物Ａを収容部１１内に入れて扉１２を閉じ、荷受確認用の伝票７を挿入口８内に挿入した後、捺印ボタン６を押すと、捺印装置１５が作動して伝票７に捺印されるとともに、施錠装置１３が作動して突片部１３ａが開口部１１ａの周縁１１ｄに向かって進出し、扉１２が施錠され、緑色ＬＥＤランプ１が点灯状態となる。これにより、荷物Ａは収容部１１内に安全に保管される。
【００３２】
（３）受取人は、宅配ボックス１０の扉１２の緑色ＬＥＤランプ１が点灯していることを視認することにより、宅配ボックス１０の収容部１１内に荷物Ａが保管されていることを認識することができる。
【００３３】
（４）緑色ＬＥＤランプ１の点灯により、宅配ボックス１０の収容部１１内に荷物Ａが保管されていることを認識した受取人が、受取ボタン５を押した後、事前登録されたＩＣカード３を読取部４に接近させて読み取らせると、施錠装置１３が作動して突片部１３ａが開口部１１ａの周縁１１ｄから離れ、扉１２の施錠が解除され、緑色ＬＥＤランプ１が消灯する。
【００３４】
（５）前記操作により扉１２は開放可能となるので、受取人は扉１２の取っ手９を掴んで扉１２を開き、収容部１１内に保管されている荷物Ａを取り出すことができる。なお、扉１２を開いたが、何らかの都合により、収容部１１内の荷物Ａを取り出さないことを決断したとき、そのまま扉１２を閉じれば、センサ１６がそれを感知して制御回路１７に信号を送り、扉１２は再び施錠されるので、荷物Ａは安全に保管される。
【００３５】
（６）収容部１１内の荷物Ａを取り出した後、扉１２を閉じると、センサ１４，１４が荷物が無いことを感知した信号を制御回路１７に送っているので、宅配ボックス１０は待機状態（扉１２が開閉可能な状態）に復帰し、次の荷物を収容部１１内に受け入れ可能な状態に保たれる。
【００３６】
前述したように、宅配ボックス１は、手持ちのＩＣカードを事前登録しておけば、扉１２の施錠を解除するときに専用の鍵を必要としないので便利であり、荷物を安全に保管することができる。また、事前登録したＩＣカードを落としたり、紛失したりしたときは、登録情報を削除したり、新たなＩＣカードを登録することにより、失ったＩＣカードによる盗難などの危険を回避することができる。
【００３７】
また、宅配ボックス１０の施錠・解錠機能及びＩＣカード３の登録機能や読取機能などを作動させるための電池１８がケーシング１１ｂの外部（若しくはケーシング１１ｂの外部からケーシング１１ｂに出し入れ可能な部分）に配置されているため、扉１２が施錠されている状態で電池１８の容量が低下して作動不能となったときも、扉１２を開くことなく、外部から電池交換を行って、機能回復させることができる。
【００３８】
一方、故障などにより、宅配ボックス１０の扉１２が開放不能となった場合の対応手段として、図３に示すように、施錠装置１３の扉１２などの一部に、施錠状態にある突片部１３ａを押圧して解錠するための非常用の挿入具１９を挿入可能な孔部１２ａを設けておけば、非常事態が発生したときなどに適切に対応することができる。なお、挿入具１９の偽装具などを用いた盗難を防止するため、孔部１２ａは外部から見つけ難い位置に、容易に視認できないサイズ（内径）で開設することが望ましい。
【００３９】
宅配ボックス１０の場合、前述したように、配達人が、取っ手９を手で掴んで扉１２を開き、荷物Ａを収容部１１内に入れて扉１２を閉じ、荷受確認用の伝票７を挿入口８内に挿入した後、捺印ボタン６を押すと、捺印装置１５が作動して伝票７に捺印されるとともに、施錠装置１３が作動して扉１２が施錠され、緑色ＬＥＤランプ１が点灯状態となるように構成されているが、伝票なしでも扉１２を施錠することができる。
【００４０】
即ち、荷物Ａを収容部１１内に入れて扉１２を閉じ（伝票７を挿入口８内に挿入することなく）、捺印ボタン６を押すと、施錠装置１３が作動して扉１２が施錠され、緑色ＬＥＤランプ１が点灯状態となる。従って、荷受確認用の伝票を採用していない宅配業者にも対応可能である。
【００４１】
なお、荷受確認用の伝票への捺印が不要である場合、宅配ボックス１０を構成する捺印機構（挿入口８及び捺印装置１５など）を無くした構造とすることもできる。この場合、捺印ボタン６に代わるものとして、例えば、荷物Ａを収容部１１内に入れて扉１２を閉じた後に押圧操作すると施錠装置１３が作動して扉１２を施錠する施錠ボタンなどを捺印ボタン６の位置などに設けることができる。
【００４２】
宅配ボックス１０の設置場所や設置手段などは限定しないので、任意の場所に任意の設置手段で設置することができるが、例えば、設置面に立設した一対の支持部材の間に宅配ボックス１０を挟持した状態で固定するような構造を採用することができる。この場合、宅配ボックス１０のケーシング１１ｂの左右側面にそれぞれ縦溝を設け、一対の支持部材をそれぞれ縦溝内に嵌入、固定するようにすることができる。また、宅配ボックス１０の設置高さについても限定しないが、使い勝手の観点から、設置面から取っ手９までの高さ（鉛直距離）を１２０ｃｍ程度とすることが好ましい。
【００４３】
宅配ボックス１０は１個の収容部１１の開口部１１ａに１枚の扉１２を備えた構造であるが、これに限定するものではないので、集合住宅などにおいて使用する場合は、複数の宅配ボックス１０を連続的に配列し、１個の制御回路１７により、複数の宅配ボックス１０のそれぞれの扉１２の施錠・解錠などの制御を行う構成とすることもできる。
【００４４】
具体的には、複数の宅配ボックス１０が、それぞれの収容部１１の開口部１１ａを開閉する扉１２と、センサ１４，１６と、を備えるとともに、各扉１２に、緑色ＬＥＤランプ１、赤色ＬＥＤランプ２、読取部４、受取ボタン５、捺印ボタン６、挿入口８、取っ手９、施錠装置１３及び捺印装置１５などを設け、１個の制御回路１７により、それぞれの扉１２に、前述した宅配ボックス１０と同様の機能（扉１２の施錠・解錠機能など）を設けた構成とすることもできる。
【００４５】
なお、図１〜図３に基づいて説明した宅配ボックス１０は、本発明に係る宅配ボックスの一例を示すものであり、本発明に係る宅配ボックスは前述した宅配ボックス１０に限定されない。
【産業上の利用可能性】
【００４６】
本発明に係る宅配ボックスは、宅配される荷物の受け取り保管のための器具として、戸建て住宅、集合住宅などにおいて広く使用することができる。
【符号の説明】
【００４７】
１  緑色ＬＥＤランプ
２  赤色ＬＥＤランプ
３  ＩＣカード
４  読取部
５  受取ボタン
６  捺印ボタン
７  伝票
８  挿入口
９  取っ手
１０  宅配ボックス
１１  収容部
１１ａ  開口部
１１ｂ  ケーシング
１１ｃ  底部
１１ｄ  周縁
１２  扉
１２ａ  孔部
１３  施錠装置
１４，１６  センサ
１５  捺印装置
１７  制御回路
１８  電池
１９  挿入具
２０  制御部
２１  マグネット
２２  リセットボタン
【図１】
2019058507.tif 000003
【図２】
2019058507.tif 000004
【図３】
2019058507.tif 000005